(57)【要約】      （修正有）【課題】指はさみを防止でき、開閉体（扉）の回動角度の制限がなく、開閉体（扉）を取り付けた状態でカバー部材を取り付け、取り外しできる開き建具とする。【解決手段】開閉体（扉２）の吊元側縦框２１と吊元側縦枠１１に固定側支持部１５と可動側支持部２５、固定側カバー部１６と可動側カバー部２６を対向して設け、その固定側支持部１５と可動側支持部２５に渡って取付部材５を開閉体（扉２）とともに回動自在に取り付け、この取付部材５にカバー部材６を取り付けると共に、開閉体（扉２）の回動時にカバー部材６が、その外周面６ａが固定側カバー部１６に沿って移動するように回動し、かつ可動側カバー部２６がカバー部材６の外周面６ａに沿って移動することで、指がはさまれないようにする。また、開閉体（扉２）を最大限回動した状態でカバー部材６とともに取付部材５を長手方向と直角方向に移動して取り付、取り外しできるようにする。【選択図】図２
2014005640.tif 000002
【特許請求の範囲】
【請求項１】
開閉体の吊元側縦部を開口部の吊元側縦部にヒンジで連結し、その開閉体を面外方向に回動自在とした開き建具であって、
前記開口部の吊元側縦部と開閉体の吊元側縦部は、開閉体が閉じ位置のときに面内方向に対向して最も接近し、かつ開閉体が開き位置に向けて回動するにつれて順次離れる固定側カバー部と可動側カバー部をそれぞれ有し、かつ取付部材が係合される固定側支持部と可動側支持部をそれぞれ有し、
前記開閉体が最大角度回動した開き位置のときに、前記固定側カバー部と可動側カバー部との間から、前記開閉体の吊元側縦部の長手方向ほぼ全長に渡るカバー部材が取り付けられた前記取付部材を前記固定側支持部と可動側支持部の取付部材挿入部分に長手方向と直角方向から挿入し、かつ長手方向に移動することで面外方向に回動可能に固定側支持部と可動側支持部に渡って係合して設けられ、
このカバー部材の外周面は、前記ヒンジの回動中心を中心とする略円弧形状で、開閉体の回動時に前記カバー部材が、その外周面が固定側カバー部に沿って移動するように回動し、かつ可動側カバー部がカバー部材の外周面に沿って移動するようにしたことを特徴とする開き建具。
【請求項２】
前記カバー部材に取付部材を長手方向に移動自在に取り付け、
前記カバー部材の長手方向のスリットを通して操作部材を取付部材に連結し、その操作部材により取付部材をカバー部材の長手方向に移動できるようにした請求項１記載の開き建具。
【請求項３】
前記カバー部材の端部には長手方向にスリットが設けられた端部キャップが取り付けられ、この端部キャップのスリットに沿って取付部材をカバー部材の長手方向に移動可能とした請求項１又は２記載の開き建具。
【発明の詳細な説明】
【技術分野】
【０００１】
本発明は、玄関ドア、勝手口ドア、室内ドア、開き窓などの枠体に扉、障子などの開閉体をヒンジで開き位置と閉じ位置とに渡って回動自在に取り付けた開き建具に関する。
【背景技術】
【０００２】
枠体の吊元側縦枠と扉の吊元側縦框をヒンジで面外方向に回動自在に連結した開きドアにおいては、その扉を開閉する際に扉の吊元側縦框と枠体の吊元側縦枠との間に、手の指をはさむことがあるので、例えば、特許文献１に開示したように、ヒンジ中心を吊元側縦框内に設けると共に、吊元側縦枠にシール材を設けることで、手の指をはさむことがないようにした開きドアが提案されている。
また、指はさみを防止できるようにした折戸が提案されている。
例えば、特許文献２に開示したように、左右の扉の縦框を略コ字状断面とし、その後側の壁同士を軸受部材で回動自在に連結し、この軸受部材にカバー部材（連結材）を取り付け、各縦框の前側の壁をカバー材の円弧面に沿って移動するようにすることで、左右の扉の縦框間に指がはさまれないようにした折戸が提案されている。
【先行技術文献】
【特許文献】
【０００３】
【特許文献１】特許第３６５０９１４号公報
【特許文献２】特開２００９−２７５４０９号公報
【発明の概要】
【発明が解決しようとする課題】
【０００４】
開きドアにおいては扉を閉じ位置から１８０°回動するのが一般的であるが、前述した開きドアであると、扉を閉じ位置から９０°回動すると吊元側縦框が吊元側縦枠に接するので、扉を９０°以上回動することができず、扉の回動角度に制限がある。
前述した折戸であれば、左右の扉を相対的に１８０°回動できるから、本発明者等は、この折戸の左右の扉の連結構造を開きドアに適用して指はさみを防止できると共に、扉の回動角度の制限がない開きドアとすることを試みたが、前述の折戸ではカバー部材を縦框の長手方向からスライドして取り付ける構成であるため、開きドアとすることに問題があった。
つまり、折戸は左右の扉を連結した状態で取り付ける、取り外しできるので、カバー部材を縦框の長手方向からスライドして取り付けるようにしても問題がないが、開きドアの場合には扉を取り付けた状態でカバー部材を取り付けることになるので、床や天井が邪魔になってカバー部材の取り付けが大変面倒で、実際には取り付けできないことがある。
カバー部材を取り外す場合も同様である。
【０００５】
本発明の目的は、指はさみを防止できると共に、開閉体の回動角度の制限がなく、しかも開閉体を取り付けた状態でカバー部材を簡単に取り付け、取り外しできるようにした開き建具とすることである。
【課題を解決するための手段】
【０００６】
本発明は、開閉体の吊元側縦部を開口部の吊元側縦部にヒンジで連結し、その開閉体を面外方向に回動自在とした開き建具であって、
前記開口部の吊元側縦部と開閉体の吊元側縦部は、開閉体が閉じ位置のときに面内方向に対向して最も接近し、かつ開閉体が開き位置に向けて回動するにつれて順次離れる固定側カバー部と可動側カバー部をそれぞれ有し、かつ取付部材が係合される固定側支持部と可動側支持部をそれぞれ有し、
前記開閉体が最大角度回動した開き位置のときに、前記固定側カバー部と可動側カバー部との間から、前記開閉体の吊元側縦部の長手方向ほぼ全長に渡るカバー部材が取り付けられた前記取付部材を前記固定側支持部と可動側支持部の取付部材挿入部分に長手方向と直角方向から挿入し、かつ長手方向に移動することで面外方向に回動可能に固定側支持部と可動側支持部に渡って係合して設けられ、
このカバー部材の外周面は、前記ヒンジの回動中心を中心とする略円弧形状で、開閉体の回動時に前記カバー部材が、その外周面が固定側カバー部に沿って移動するように回動し、かつ可動側カバー部がカバー部材の外周面に沿って移動するようにしたことを特徴とする開き建具である。
【０００７】
本発明においては、前記カバー部材に取付部材を長手方向に移動自在に取り付け、
前記カバー部材の長手方向のスリットを通して操作部材を取付部材に連結し、その操作部材により取付部材をカバー部材の長手方向に移動できるようにできる。
このようにすれば、カバー部材とともに取付部材を長手方向と直角方向に移動し、操作部材で取付部材を長手方向に移動して固定側支持部と可動側支持部とに渡って設けることで、カバー部材を取り付けできるから、そのカバー部材を上下に移動しなくとも良いので、上枠に干渉等することがなく、カバー部材の取り付け、取り外しが容易である。
【０００８】
本発明においては、前記カバー部材の端部には長手方向にスリットが設けられた端部キャップが取り付けられ、この端部キャップのスリットに沿って取付部材をカバー部材の長手方向に移動可能とすることができる。
このようにすれば、操作部材によって取付部材を端部キャップのスリットに沿って移動できるから、その取付部材は正しい姿勢を維持して長手方向に移動するので、固定側支持部と可動側支持部に渡って確実に設けることができる。
【発明の効果】
【０００９】
本発明によれば、開閉体が回動するときにカバー部材が、その外周面が固定側カバー部に沿って移動するように回動し、可動側カバー部がカバー部材の外周面に沿って移動するので、指はさみを防止できると共に、開閉体の回動角度の制限がない。
【００１０】
また、開閉体を最大角度回動した開き位置とすることで、カバー部材とともに取付部材を長手方向と直角方向に移動して固定側カバー部と可動側カバー部との間から固定側支持部、可動側支持部の取付部材挿入部分に挿入、抜き出しできるから、開閉体を取り付けた状態でカバー部材を簡単に取り付け、取り外しでき、ヒンジ取付部分を容易に清掃できると共に、開閉体の交換やヒンジの調整が可能で、メンテナンス性が向上する。
【００１１】
また、開閉体の回動時にカバー部材が回動するので、そのカバー部材の外周面の角度を開閉体の最大回動角度よりも小さくできる。
【図面の簡単な説明】
【００１２】
【図１】開きドアの正面図である。
【図２】図１のＡ−Ａ拡大断面図である。
【図３】扉を９０°回動した状態の断面図である。
【図４】扉を１８０°回動した状態の断面図である。
【図５】吊元側縦枠と吊元側縦框、取付部材とカバー部材の拡大横断面図である。
【図６】吊元側縦枠と吊元側縦框の正面図である。
【図７】カバー部材と取付部材と端部キャップの分解斜視図である。
【図８】カバー部材の取付動作を示す斜視図である。
【図９】端部キャップの正面図である。
【図１０】端部キャップの平面図である。
【図１１】外開き窓の横断面図である。
【図１２】障子を９０°回動した状態の横断面図である。
【図１３】障子を１８０°回動した状態の横断面図である。
【発明を実施するための形態】
【００１３】
図１に示すように、枠体１内に開閉体、例えば扉２がヒンジ３で回動自在に取り付けて開き建具、例えば開きドアとしてある。
この枠体１は上枠１０と吊元側縦枠１１と戸先側縦枠１２と下枠１３で方形状で、扉２は上框２０と吊元側縦框２１と戸先側縦框２２と下框２３を方形状に連結し、その内部にパネル２４が取り付けてある。なお、枠体１は下枠１３を備えずに、設置する床面などを下枠とするようにしても良い。
ヒンジ３は吊元側縦枠１１と吊元側縦框２１とに渡って連結されて戸先側縦框２２を戸先側縦枠１２に対して面外方向に回動自在としている。
【００１４】
例えば、ヒンジ３は、図２に示すように一側羽根３０と他側羽根３１を軸３２で回動自在に連結した丁番で、吊元側縦枠１１の面内方向の内側面１１ａに一側羽根３０を固着し、吊元側縦框２１の面内方向の外側面２１ａに他側羽根３１を固着し、扉２を図２に示す閉じ位置から図３に示す９０°回転した開き位置、図４に示す１８０°回転した開き位置まで回動できるようにしてある。
この軸３２がヒンジ３の回動中心３ａである。
この実施の形態では図１に示すように、ヒンジ３は上下一対設けてあるが、これに限ることはない。
そして、戸先側縦框２２に取り付けたハンドル４を持って扉２を図２に示す閉じ位置と図３、図４に示す開き位置とに渡って回動する。
【００１５】
図２に示すように、吊元側縦枠１１の内側面１１ａには面内方向に向かう固定側支持部１５と面内方向に向かう固定側カバー部１６が、固定側支持部１５がヒンジ３の回動中心３ａ寄りとなるように面外方向に間隔を置いて設けてあると共に、吊元側縦框２１の外側面１２ａには面内方向に向かう可動側支持部２５と面内方向に向かう可動側カバー部２６が、可動側支持部２５がヒンジ３の回動中心３ａ寄りとなるように面外方向に間隔を置いて設けてある。
そして、図２に示すように扉２が閉じ位置のときに、固定側支持部１５と可動側支持部２５が面内方向に相対向すると共に、固定側カバー部１６と可動側カバー部２６が面内方向に相対し、かつ最も接近し、扉２が図３、図４に示すように開き位置に向けて回動するにつれて順次離れるようにしてある。
【００１６】
この固定側支持部１５と可動側支持部２５とに渡って、後述するカバー部材を取り付けるための取付部材５が扉２とともに面外方向に回動するように設けてある。
この取付部材５にカバー部材６が、その取付部材５を覆うように取り付けてある。
このカバー部材６は、ほぼ半円形（つまりほぼ１８０°）の外周面６ａを有し、その外周面６ａはヒンジ３の回動中心３ａを中心とするほぼ円弧状で、カバー部材６は吊元側縦框２１の長手方向全長に渡る長さである。
そして、扉２の回動時にカバー部材６が、その外周面６ａが固定側カバー部１６に沿って移動するように回動し、可動側カバー部２６がカバー部材６の外周面６ａに沿って移動するように隙間を有して対向している。
【００１７】
このようであるから、扉２が閉じ位置、９０°回動した開き位置、１８０°回動した開き位置に渡って回動するときに、カバー部材６の外周面６ａと固定側カバー部１６、可動側カバー部２６との間に手の指を入れることができないので、指はさみを防止できる。
また、カバー部材６の外周面６ａの角度を扉２の最大回動角度よりも小さくできる。
【００１８】
取付部材５は、吊元側縦框２１の長手方向と直角方向の所定の取付位置から長手方向に移動することで固定側支持部１５と可動側支持部２５とに渡って回動可能で、かつ長手方向と直角方向に外れないように係止して設けることができる。
そして、図４に示すように扉２を１８０°回動した開き位置のときに、固定側カバー部１６と可動側カバー部２６との間隔Ｓがカバー部材６の幅Ｈよりも若干大きく、カバー部材６を固定側カバー部１６と可動側カバー部２６との間を挿通できるようにしてある。
扉２の最大開き角度は１８０°に限ることはない。
そして、扉２が最大開き角度のときに前述の間隔Ｓが幅Ｈよりも大きくすれば良い。
【００１９】
このようであるから、取付部材５を上下寸法が短いピース状とし、固定側支持部１５と可動側支持部２５に取付部材５が長手方向と直角方向から入り込む切欠き部などの取付部材挿入部分を形成することで、取付部材５にカバー部材６を取り付けた状態で、扉２を１８０°回動した開き位置とし、取付部材５を長手方向と直角方向に移動して取付部材挿入部分に挿入し、取付部材５を長手方向に移動して取付部材５を固定側支持部１５と可動側支持部２６に渡って前述のように係合して設けることで、カバー部材６を取り付けできる。
また、前述と反対の動作をすることでカバー部材６を取り外すことができる。
【００２０】
前述のようにすることで、扉２を枠体１に取り付けた状態で、カバー部材６を取付部材５とともに取り付けたり、取り外すことができるから、吊元側縦枠１１、吊元側縦框２１のヒンジ取付部分をカバー部材６、取付部材５を外して容易に清掃できるし、扉２の交換やヒンジ３の調整が可能となり、メンテナンス性が向上する。
【００２１】
次に、各部を詳細に説明する。
図２に示すように、吊元側縦枠１１と吊元側縦框２１における扉２が閉じ位置のときに面内方向に対向する面、例えば前述した面内方向の内側面１１ａ，外側面２１ａに固定側支持部１５、可動側支持部２５、固定側カバー部１６、可動側カバー部２６がそれぞれ対向して設けてあり、その支持部、カバー部の面外方向の間にヒンジ３の一側羽根３０、他側羽根３１がそれぞれ固着してある。
【００２２】
図５、図６に示すように、固定側支持部１５は、内側面１１ａにおける面外方向一端寄
り（室外側寄り）に面内方向内側に向けて設けられ、先端部に円弧面１５ａを有した基片１５ｂと、この基片１５ｂの先端部に設けられた内側面１１ａに向かう鉤片１５ｃを備え、その基片１５ｂの円弧面１５ａと鉤片１５ｃとで面内方向の外側（つまり、吊元側縦枠１１の内側面１１ａ）に向かう固定側凹部１５ｄを有している。
固定側カバー部１６は、吊元側縦枠１１の内側面１１ａにおける面外方向の中間に面内方向の内側に向けて設けられた基片１６ａと、この基片１６ａの先端部に設けた先片１６ｂを有し、この先片１６ｂは基片１６ａの先端部から前述の鉤片１５ｃに向けて斜めで、固定側カバー部１６は、ほぼくの字形状である。
そして、図２に示すようにヒンジ３の一側羽根３０は固定側支持部１５と固定側カバー部１６との間に固着され、固定側支持部１５の切欠き部１５ｅを通して突出している。
【００２３】
可動側支持部２５は前述の固定側支持部１５とヒンジ３の回動中心３ａを境として面内方向に対称形状で、外側面２１ａにおける面外方向一端寄りに設けられ円弧面２５ａを有した基片２５ｂと、鉤片２５ｃとで面内方向の内側（つまり、吊元側縦框２１の外側面２１ａ）に向かう可動側凹部２５ｄを有している。
【００２４】
可動側カバー部２６は固定側カバー部１６とヒンジ３の回動中心３ａを境として面内方向に対称形状で、外側面２１ａの面内方向他端寄りに設けられた基片２６ａと斜めの先片２６ｂを有したほぼくの字形状である。
そして、図２に示すようにヒンジ３の他側羽根３１は可動側支持部２５と可動側カバー部２６との間に固着され、可動側支持部２５の切欠き部２５ｅを通して突出している。
【００２５】
図６に示すように、固定側支持部１５、可動側支持部２５の長手方向両端寄りには前述した取付部材挿入部分となる切欠き部１５ｆ，２５ｆがそれぞれ形成されている。例えば、鉤片１５ｃ，２５ｃと円弧面１５ａ，２５ａとが切欠きされている。
【００２６】
取付部材５は図２と図５と図７に示すように、幅広く、高さが低い基片５０の幅方向両側に一対の鉤形状の係止片５１を有し、この係止片５１と基片５０とで相対向した内向きの凹部５２を形成すると共に、基片５０の幅方向中間に内向きの突片５３と外向きの突部５４を有し、その突部５４に係合凹部５４ａを有している。
取付部材５を長手方向と直角方向に移動して図６に示す切欠き部１５ｆ，２５ｆに挿入することで、取付部材５は所定の取付位置となる。
そして、取付部材５を下方に移動することで図２に示すように、一対の係止片５１が固定側支持部１５の固定側凹部１５ｄ、可動側支持部２５の可動側凹部２５ｄに入り込むと共に、鉤片１５ｃ，２５ｃが凹部５２に入り込み、かつ鉤片１５ｃ，２５ｃと係止片５１が係止して長手方向と直角方向には外れないように支持されると共に、突片５３が固定側支持部１５の鉤片１５ｃと可動側支持部２５の鉤片２５ｃとの間に入り込む。
【００２７】
そして、扉２が図２に示す閉じ位置のときには、係止片５１が円弧面１５ａ，２５ａと離れ、鉤片１５ｃ，２５ｃの先端と接しているから、この状態から扉２が開き位置に向けて回動すると、可動側支持部２５の鉤片２５ｃの先端が取付部材５の係止片５１の先端の裏面を押し取付部材５は回動はする。扉２がさらに回動すると、その鉤片２５ｃが一方の凹部５２の底面に接し、扉２の回動により取付部材５がカバー部材６とともに回動する。図３に示すように扉２が９０°回動するとカバー部材６は４５°回動する。
【００２８】
この状態（図３の状態）から扉２が開き位置に向けて回動すると、前述と同様にして取付部材５とともにカバー部材６が回動し、扉２が図４に示すように１８０°回動するとカバー部材６は９０°回動し、鉤片１５ｃ，２５ｃの基端が取付部材５の基片５０の裏面に接する。
【００２９】
図４に示す状態から扉２を閉じ位置に向けて回動すると、可動側支持部２５の鉤片２５ｃの基端が取付部材５の基片５０を押し、取付部材５とともにカバー部材６が回動し、扉２がさらに回動すると鉤片２５ｃの基端が基片５０の裏面と離れ、これと同時に鉤片２５ｃの先端が凹部５２の底面を押して回転する。扉２が９０°回転位置まで回動するとカバー部材６は４５°回動し、扉２がさらに回動すると扉２が図２に示す閉じ位置となると共に、カバー部材６は９０°回動する。
【００３０】
このように、扉２が１８０°回動する際に可動側支持部２５により取付部材５を扉２の回動角度よりも小さい角度回動するので、カバー部材６の回動角度は扉２の回動角度よりも小さい（この実施の形態では１／２）ので、取付部材５、カバー部材６をコンパクトにでき、ヒンジ３による連結部に容易に取り付けできる。
【００３１】
カバー部材６は、図７に示すように、幅方向に向けてほぼ円弧形状に湾曲し、その内周面６ｂの幅方向中央にはビスホール６０が長手方向に連続して有していると共に、幅方向両端部には突片６１が相対向して有し、外周面６ａと内周面６ｂに貫通して縦長のスリット６２を有している。
そして、図５に示すようにカバー部材６内に取付部材５が入り込み、突部５４が内周面６ｂに接して取付部材５の外周面５ａとカバー部材６の内周面６ｂとの間に、ほぼ半円形の空洞部６ｃを形成している。
図７に示す操作部材６３の連結部である係合片６４をスリット６２を挿通して突部５４の係合凹部５４ａに係合して連結し、その操作部材６３を上下に動かすことで取付部材５がカバー部材６に対して上下（長手方向）に移動するようにしてある。この移動する距離は、係合片６４の上下方向の寸法とスリット６２の上下寸法の差である。
【００３２】
このようであるから、図８に示すように扉２を１８０°回動した開き位置とし、取付部材５を取り付けたカバー部材６を長手方向と直角方向に移動、つまり水平方向に平行移動し、その取付部材５を固定側支持部１５の切欠き部１５ｆ、可動側支持部２５の切欠き部２５ｆに挿入し、その状態で操作部材６３を下方に移動することで取付部材５を下方に移動して一対の係合片５１を各鉤片１５ｃ，２５ｃに係止し、カバー部材６を取り付ける。
カバー部材６を取り外す場合は、操作部材６３を上方に移動して取付部材５を各切欠き部１５ｆ，２５ｆに合致させ、カバー部材６を水平方向に平行移動して取り外す。
【００３３】
前述のようであるから、カバー部材６を上下に移動せずに取り付けしたり、取り外すことができるので、上枠１０が邪魔にならないから、カバー部材６の取り付け、取り外しがより一層簡単である。
【００３４】
この実施の形態ではカバー部材６の長手方向両端部に端部キャップ７が取り付けてある。
この端部キャップ７は図７、図９、図１０に示すように、覆板７０と、この覆板７０に設けた一対の取付片７１を備え、その覆板７０はカバー部材６の端面形状に合致した平面形状で、取付片７１は円弧形状に湾曲していると共に、スリット７２を置いて対向し、その対向面の覆板７０と反対側に突部７３が相対向して設けてある。
覆板７０には前述のスリット７２に開口した透孔７４が形成してある。
そして、図５に示すように一対の取付片７１が前述の空洞部６ｃに挿入してカバー部材６の突片６１と取付部材５の段部５５に係合して支持されると共に、覆板７０がカバー部材６の端面に接し、透孔７４からビス７５をカバー部材６のビスホール６０に螺合して端部キャップ７がカバー部材６の長手方向の端部に取り付けられる。
【００３５】
図５に示すように、取付部材５の突部５４は端部キャップ７の一対の取付片７１間のスリット７２をガイドとして上下方向に移動するので、取付部材５は正しい姿勢を維持して上下に移動し、固定側支持部１５と可動側支持部２５とに渡って確実に挿入して設けることができる。
そして、取付部材５の突起５４が突部７３に当たることで、取付部材５が端部キャップ７から長手方向に抜け落ちることを防止している。
つまり、組立、取り付けの際に、端部キャップ７のスリット７２をビスホール６０に沿って移動して端部キャップ７をカバー部材６に取り付け、取付部材５の突起５４をスリット７２に挿入し、そのスリット７２に沿って移動して突起５４をカバー部材６のスリット６２と対向させ、係合片６４を突起５４の係合凹部５４ａに係合して操作部材６３を取付部材５に連結するが、操作部材６３を連結するまでは、端部キャップ７から取付部材５が抜け落ちることがあるので、端部キャップ７に突部７３を設け、この突部７３に突起５４を当接して取付部材５の抜け落ちを防止している。
一方、端部キャップ７の覆板７０が固定側支持部１５、可動側支持部２５の長手方向の端面に接し、取付部材５、カバー部材６が固定側支持部１５、可動側支持部２５に沿って下方に落下しないように保持している。
【００３６】
取付部材５はカバー部材６の上下寄りにそれぞれ取り付けてあるので、カバー部材６をしっかりと支持して回動することができる。
端部キャップ７はカバー部材６の上下部に取り付けてあるので、カバー部材６の見栄えが良い。
【００３７】
前述の実施の形態では、ヒンジ３を丁番としたが、ピボットヒンジでも良い。
また、吊元側縦枠１１は建物開口部の縦内面でも良いし、扉２はフラッシュドアのようにパネル一体タイプでも良い。つまり、ヒンジ３で連結するのは開口部の吊元側縦部と扉２の吊元側縦部であれば良い。
【００３８】
前述の実施の形態では開き建具として開きドアを説明したが、開き建具は開き窓であっても良い。
例えば、図１１に示すように、外開き窓の枠体１の一方の縦枠８０に固定側支持部１５と固定側カバー部１６を設ける。
この外開き窓の障子（開閉体）８１の一方の縦框８２に可動側支持部２５と可動側カバー部２６を設ける。
そして、縦枠８０と縦框８２を開きドアの場合と同様にヒンジ３で回動自在に連結すると共に、取付部材５、カバー部材６を開きドアの場合と同様に取り付ける。
【００３９】
このようにすることで障子８１を９０°回動したときには取付部材５、カバー部材６が図１２に示すように開きドアの場合と同様に回動し、障子８１を１８０°回動したときには取付部材５、カバー部材６が図１３に示すように開きドアの場合と同様に回動するから、外開き窓においても指はさみを防止できる。
【符号の説明】
【００４０】
１…枠体、２…扉（開閉体）、３…ヒンジ、５…取付部材、６…カバー部材、７…端部キャップ、１１…吊元側縦枠（開口部の吊元側縦部）、１５…固定側支持部、１５ｆ…切欠き部（取付部材挿入部分）、１６…固定側カバー部、２１…吊元側縦框（扉の吊元側縦部）、２５…可動側支持部、２５ｆ…切欠き部（取付部材挿入部分）、２６…可動側カバー部、６２…スリット、６３…操作部材、６４…係合片（連結部）。
【図１】
2014005640.tif 000003
【図２】
2014005640.tif 000004
【図３】
2014005640.tif 000005
【図４】
2014005640.tif 000006
【図５】
2014005640.tif 000007
【図６】
2014005640.tif 000008
【図７】
2014005640.tif 000009
【図８】
2014005640.tif 000010
【図９】
2014005640.tif 000011
【図１０】
2014005640.tif 000012
【図１１】
2014005640.tif 000013
【図１２】
2014005640.tif 000014
【図１３】
2014005640.tif 000015